(57)【要約】【課題】清掃が容易な空気調和装置の吸い込みパネルおよび空気調和装置を提供すること。【解決手段】空気の流路となるスリット１１が前面に複数設けられている吸い込みパネルを備えてなる空気調和装置において、スリット１１を挟んで両側の格子１０の端縁は、吸い込みパネル９前面に沿った方向における位置が略等しく、かつ、吸い込みパネル９前面の壁部の傾斜が、垂直面に近いことを特徴とする。【選択図】　　　図２
2004085133.tif 000002
【特許請求の範囲】
【請求項１】
空気の流路となるスリットが前面に複数設けられている空気調和装置の室内機の吸い込みパネルにおいて、
前記スリットを挟んで上下の吸い込みパネル壁部の端縁は、吸い込みパネルの高さ方向における位置が略等しく、かつ、吸い込みパネル前面の壁部の傾斜が垂直面に近いことを特徴とする空気調和装置の吸い込みパネル。
【請求項２】
請求項１に記載の空気調和装置の吸い込みパネルにおいて、前記スリットの一側における吸い込みパネル壁部は内方に窪んでおり、該吸い込みパネル壁部の窪みの幅は、吸い込みパネルの高さ方向において、少なくとも２５ｍｍ以上であることを特徴とする空気調和装置の吸い込みパネル。
【請求項３】
請求項１または２に記載の空気調和装置の吸い込みパネルにおいて、
裏面には、前記スリットと交差する方向に延在する縦リブが固定され、
前記縦リブの前記スリットに面する部位は、内方に窪んだ形状となっていることを特徴とする空気調和装置の吸い込みパネル。
【請求項４】
内部に空気を取り入れるための空気吸込口を有する空気調和機の吸い込みパネルであって、
前記空気吸込口は、複数のスリットから構成され、
当該スリットを形成する格子の外表面の少なくとも一部が、前記吸い込みパネルの空気吸込口を有する表面に対して緩斜勾配をなすことを特徴とする空気調和装置の吸い込みパネル。
【請求項５】
請求項１から４いずれかに記載の空気調和装置の吸い込みパネルが設けられた室内機を備えていることを特徴とする空気調和装置。
【発明の詳細な説明】
【０００１】
【発明の属する技術分野】
本発明は、空気調和装置の吸い込みパネルおよび空気調和装置に関する。
【０００２】
【従来の技術】
従来の空気調和装置を図１０に示した。図１０のように、室内機１の前面には空気吸込口２を備えた吸い込みパネル３が設けられている。
この吸い込みパネル３の側断面は図７（ａ）のようになっている。
それぞれ水平方向に延在する複数の格子５が縦方向に並び、これら格子５間は空気の流路であるスリット６となっている。
各格子５は、３つの面を基本構成としている。すなわち、正面を向いた面５ａと、正面に対して急峻な角度で内側に傾斜した面５ｂと、面５ａと平行で面５ｂの端縁から下方に伸びる面５ｃである。このような構成によって、格子５の下部は面５ｂと面５ｃによって内側に窪んだ窪み７となっている。また、格子５の下端が下方の格子５の上端と略同じ高さとなっている。これにより、面５ｂ、５ｃ（窪み７）が外部から室内機１の内部を隠し、空気の流路を確保しつつ美観を損ねないようになっている。
【０００３】
【発明が解決しようとする課題】
しかしながら、上記従来の空気調和装置においては、目隠し用に設けられた窪み７（面５ｂ、５ｃ）の清掃が行いにくいという問題がある。つまり、正面を向いた面５ａに対して急峻に傾斜した面５ｂを備えているため、正面を向いた面５ａの汚れを拭き取る際に、面５ｂ、５ｃを同時に拭き取ることが困難である。
【０００４】
本発明は上記事情に鑑みて成されたものであり、清掃が容易な空気調和装置の吸い込みパネルおよび空気調和装置を提供することを目的とする。
【０００５】
【課題を解決するための手段】
請求項１に記載の発明は、空気の流路となるスリットが前面に複数設けられている空気調和装置の室内機の吸い込みパネルにおいて、前記スリットを挟んで上下の吸い込みパネル壁部の端縁が、吸い込みパネルの高さ方向における位置が略等しく、かつ、吸い込みパネル前面の壁部の傾斜が垂直面に近いことを特徴とする。
【０００６】
従来においては、図７（ａ）のように格子５が急峻な面５ｂを備えていることにより、清掃が困難であった。本発明では、同図（ｂ）の例のように急峻な面を無くした窪み２２とし、従来よりも垂直面（床に対して垂直な面）に近づけることで、清掃が容易となる。なおかつ、スリットを挟んで上下の吸い込みパネル壁部の端縁は、吸い込みパネルの高さ方向における位置が略等しい。例えば、図７（ｂ）では、上下に並んだ格子１９のそれぞれ下端と上端と略同じ高さとなっている。このため、従来と同様に室内機内部の目隠しとなり、美観を損ねることもない。
【０００７】
請求項２に記載の発明は、請求項１に記載の空気調和装置の吸い込みパネルにおいて、前記スリットの一側における吸い込みパネル壁部が内方に窪んでおり、該吸い込みパネル壁部の窪みの幅が、吸い込みパネルの高さ方向において、少なくとも２５ｍｍ以上であることを特徴とする。
【０００８】
図７（ａ）に示したように、従来は吸い込みパネル正面におけるスリット幅が５ｍｍ程度だったため、窪み７に指が入らず、清掃しにくかった。これに対し、本発明では同図（ｂ）の例のように窪み２２の開口寸法が２５ｍｍ以上と指が入るのに十分な広さに設けられているため、窪み部分の清掃が容易である。なお、図３の例のように、格子の幅ａが小さいときには窪み幅２５ｍｍと格子幅ａとが一致している。図７（ｂ）のように格子幅ａを大きくした場合は、少なくとも窪み幅２５ｍｍを確保し、それ以上の部位は平坦面２１とすることができる。いずれにせよ、窪み幅は少なくとも２５ｍｍ確保すればよい。
【０００９】
請求項３に記載の発明は、請求項１または２に記載の空気調和装置の吸い込みパネルにおいて、裏面には、前記スリットと交差する方向に延在する縦リブが固定され、前記縦リブの前記スリットに面する部位は、内方に窪んだ形状となっていることを特徴とする。
【００１０】
この発明においては、例えば雑巾によって吸い込みパネルをふき取る際に、スリットに面する縦リブが内側に窪んでいることで、縦リブが雑巾の動きを阻害せず、雑巾のスムーズな移動を確保することができる。好ましくは内側にＲ形状となっていることで、より効果的に清掃の阻害を防止することができる。
【００１１】
請求項４に記載の吸い込みパネルは、内部に空気を取り入れるための空気吸込口を有する空気調和機の吸い込みパネルであって、前記空気吸込口は、複数のスリットから構成され、当該スリットを形成する格子の外表面の少なくとも一部が、前記吸い込みパネルの空気吸込口を有する表面に対して緩斜勾配をなすことを特徴とする。
【００１２】
この発明においては、外表面の少なくとも一部が吸い込みパネル表面に対して緩斜勾配をなす格子によりスリットが形成されるので、空気流路を確保しつつ掃除が容易な吸い込みパネルを提供できる。
【００１３】
請求項５に記載の空気調和装置は、請求項１から４いずれかに記載の空気調和装置の吸い込みパネルが設けられた室内機を備えていることを特徴とする。
【００１４】
この発明においては、上記に説明した吸い込みパネルを備えているから、清掃が容易な空気調和装置とすることができる。
【００１５】
【発明の実施の形態】
次に、本発明の実施形態について、図面を参照して説明する。
図１は本実施形態に係る空気調和装置の室内機８である。図１に示したように、室内機８の前面には空気吸込口９ａを備えた吸い込みパネル９が設けられている。なお、図２には、図１に示した吸い込みパネル９を含む室内機ケーシングの一部を破断した斜視図を示し、図３には、吸い込みパネル９の部分側断面図を示した。
図２及び図３にそれぞれ示したように、吸い込みパネル９における空気吸込口９ａを形成すべく、室内機８の長手方向である水平方向に延在する複数の格子１０が縦方向に並び、これら格子１０の間は空気の流路であるスリット１１となっている。各格子１０の下端縁が下方の格子１０の上端縁と略同じ高さとなっている。これにより、外部から室内機８の内部が隠れ、美観を損ねないようになっている。
【００１６】
格子１０は吸い込みパネル９に３〜４枚設けられており、その面は滑らかな曲面（外から見た場合凹面）で、格子１０の外壁面が外方を向いている。すなわち、外壁面に垂直な法線が、格子１０のいかなる部位においても、他の格子１０に阻害されずに外方向を向くように曲率が連続的に変化する断面形状としている。また、本実施形態において、図３に示した格子１０の垂直方向の幅ａは少なくとも２５ｍｍ以上としており、所定の間隔をもってスリット１１が並設される構成とし、そのスリット１１を形成する格子１０の外表面が緩やかな凹状曲面になるように、空気吸込口９ａを有する吸込みパネル９表面に対して緩斜勾配をなす形状とする構成を採用する。すなわち、内部に空気を取り入れるための空気吸込口は、複数のスリットから構成され、スリットを形成する格子の外表面の少なくとも一部が、吸い込みパネルの空気吸込口を有する表面に対して緩斜勾配をなす吸い込みパネルを提供するものである。結果、格子１０は従来の格子５（図７（ａ）参照）と比較して急峻な面を持たず、垂直面に近い形状となっている。
【００１７】
このように構成されていることにより、以下の効果を得ることができる。
格子１０は従来と異なり急峻な面を持たず、また、格子１０が滑らかな曲面により構成され、さらに格子１０の外壁面が外方を向いている。これらにより、吸い込みパネル９表面を容易に拭き取ることができ、清掃がしやすくなっている。また、格子１０の垂直方向の幅ａは少なくとも２５ｍｍ以上である。すなわち、図７（ａ）を参照すると、従来においては目隠し用に設けられた窪み７の正面における開口寸法が５ｍｍであったため、指が入らず清掃がしにくかった。本実施形態においては格子１０全体が窪み７に相当し、その開口寸法が２５ｍｍ以上であるので、容易に指を窪みに挿入することができ、清掃が容易である。
【００１８】
なお、上記の説明ではスリット１１は水平方向に延在している例を示したが、垂直方向など、他の方向でもよい。また、格子１０は上下がスリット１１に挟まれているものだけではなく、垂直方向に並んだ複数の格子１０のうち、最も上下に位置しているもの、すなわち、下方と下方のいずれか一方にのみスリット１１が設けられている格子１０−１も含まれる。
【００１９】
次に、本発明の第２実施形態について説明する。なお、本実施形態は上記実施形態における吸い込みパネル９の変形例である。
図４は本実施形態に係る空気調和装置の吸い込みパネル９’断面図である。図において、符号１２は格子である。格子１２は吸い込みパネル９’の前面に水平方向に延在し、縦方向に複数並んで設けられている。
図４に示したように、格子１２は吸い込みパネル９’に３〜４枚設けられており、その面は滑らかな曲面（外から見た場合凸面）で形成されている。また格子１２の垂直方向の幅ａは少なくとも２５ｍｍ以上となっている。本実施形態においても、所定の間隔をもってスリット１１が並設される構成とし、そのスリット１１を形成する格子１０の外表面が緩やかな凸状曲面になるように、空気吸込口９ａを有する吸込みパネル９表面に対して緩斜勾配をなす形状とする構成を採用する。結果、格子１２は従来の格子５（図７（ａ）参照）と比較して急峻な面を持たず、垂直面に近い形状となっている。
また、各格子１２の下端縁が下方の格子１２の上端縁と略同じ高さとなっている。これにより、従来と同様に外部から室内機８の内部が隠れ、美観を損ねないようになっている。
【００２０】
このように構成されていることにより、以下の効果を得ることができる。
格子１２は従来と異なり急峻な面を持たない。また、格子１２が滑らかな曲面により構成されている。これらにより、吸い込みパネル９’表面を容易に拭き取ることができ、従来より清掃がしやすくなっている。
また、格子１２の垂直方向の幅ａは少なくとも２５ｍｍ以上である。すなわち、図７（ａ）を参照すると、従来においては窪み７の正面における開口寸法が５ｍｍであったため、指が入らず清掃がしにくかった。本実施形態においては格子１２全体が窪み７に相当し、その開口寸法が２５ｍｍ以上であるので、容易に指を窪みに挿入することができ、清掃が容易である。
なお、上記の説明ではスリット１３は水平方向に延在している例を示したが、垂直方向など、他の方向でもよい。また、格子１２は上下がスリット１３に挟まれているものだけではなく、垂直方向に並んだ複数の格子１２のうち、最も上下端に位置するもの、すなわち、上方と下方のいずれか一方にのみスリット１３が設けられているものも含まれる。
【００２１】
次に、本発明の第３実施形態について、図面を参照して説明する。なお、本実施形態の吸い込みパネルは、上記実施形態における吸い込みパネル９の変形例である。
図５は本実施形態に係る空気調和装置の吸い込みパネル９”断面図である。図において、符号１４は格子である。格子１４は吸い込みパネル９”の前面に水平方向に延在し、縦方向に複数並んで設けられており、図のようにそれぞれ内方に屈曲した状態となっている。また、格子１４は吸い込みパネルに３〜４枚設けられており、格子１４の外壁面が外方を向いている。また、格子１４の垂直方向の幅ａは少なくとも２５ｍｍ以上となっている。格子１４は従来の格子５（図７（ａ）参照）と比較して急峻な面を持たず、垂直面に近い形状となっている。すなわち、格子１４の外表面に接する仮想内接円が、緩やかな凹状曲面になるように、格子１４の外表面が空気吸込口９ａを有する吸込みパネル９表面に対して緩斜勾配をなす形状とする構成を採用する。
また、各格子１４の下端縁が下方の格子１４の上端縁と略同じ高さとなっている。これにより、従来と同様に外部から室内機８の内部が隠れ、美観を損ねないようになっている。
【００２２】
このように構成されていることにより、以下の効果を得ることができる。
格子１４は従来と異なり急峻な面を持たない。また、格子１４が滑らかな曲面により構成され、さらに格子１４の外壁面が外方を向いている。これらにより、吸い込みパネル９”表面を容易に拭き取ることができ、従来より清掃がしやすくなっている。
また、格子１４の垂直方向の幅ａは少なくとも２５ｍｍ以上である。すなわち、図７（ａ）を参照すると、従来においては窪み７の正面における開口寸法が５ｍｍであったため、指が入らず清掃がしにくかった。本実施形態においてはいわば格子１４全体が窪み７に相当し、その開口寸法が２５ｍｍ以上であるので、容易に指を窪みに挿入することができ、清掃が容易である。
なお、上記の説明ではスリット１５は水平方向に延在している例を示したが、垂直方向など、他の方向でもよい。また、格子１４は上下がスリット１５に挟まれているものだけではなく、垂直方向に並んだ複数の格子１４のうち、最も上下端に位置しているもの、すなわち、上方と下方のいずれか一方にのみスリット１５が設けられているものも含まれる。
【００２３】
次に、本発明の第４実施形態について、図面を参照して説明する。なお、従来と同一の構成については同一の符号を用い、その説明を省略する。
図６は本実施形態に係る空気調和装置の吸い込みパネル１６の一部を破断した斜視図である。
図において、符号１７は格子である。本実施形態における格子１７は、一つだけ設けられており、少なくともその上下縁にスリット１８が設けられている。格子１７全体を取り囲むように左右の縁部にスリット１８を設けても良い。
格子１７と吸い込みパネル１６の壁部との少なくともいずれか一方は、上記第１〜第３実施形態の格子１０，１２，１４、または後述の格子１９と同様の形状となっている。図ではパネル１６の壁部が第２実施形態の格子１２と同様に外側に滑らかな曲面（凸面）となっている。
また、格子１７と吸い込みパネル１６の壁部との端縁が、吸い込みパネル１６の面方向において略同じ位置となっている。これにより、従来と同様に外部から室内機８の内部が隠れ、美観を損ねないようになっている。
【００２４】
本実施形態においては、格子１７または吸い込みパネル１６の壁面が従来と異なり急峻な面を持たない。したがって吸い込みパネル１６表面を容易に拭き取ることができ、清掃がしやすくなっている。
【００２５】
次に、本発明の第５実施形態について説明する。なお、本実施形態の吸い込みパネルは、上記実施形態における吸い込みパネル９の変形例である。
図７（ｂ）に示したものは本実施形態に係る空気調和装置の吸い込みパネル断面図である。図において、それぞれ水平方向に延在する複数の格子１９が縦方向に並び、これら格子１９の間は空気の流路であるスリット２０となっている。格子１９は、平坦面２１と、平坦面から内側に窪む窪み２２とを備えている。
格子１９は吸い込みパネル９に３〜４枚設けられており、その窪み２２の面は滑らかな曲面（外から見た場合凹面）で、窪み２２の外壁面は外方を向いている。また、窪み２２の垂直方向の幅は少なくとも２５ｍｍ以上であり、格子１９の垂直方向の幅ａは、窪み２２よりさらに大きくなっている。窪み２２よりも大きい幅の分は、平坦面２１となっている。
窪み２２は従来の格子５（図７（ａ）参照）と比較して垂直面に近い形状となっている。本実施形態においても、所定の間隔をもってスリット２０が並設される構成とし、そのスリット２０を形成する格子１９の外表面の少なくとも一部が緩やかな凹状曲面になるように、空気吸込口９ａを有する吸込みパネル９表面に対して緩斜勾配をなす形状とする構成を採用する
また、各格子１９の下端縁が下方の格子１９の上端縁と略同じ高さとなっている。これにより、外部から室内機８の内部が隠れ、美観を損ねないようになっている。
【００２６】
このように構成されていることにより、以下の効果を得ることができる。
格子１９は従来と異なり急峻な面を持たない。また、窪み２２が滑らかな曲面により構成され、さらに格子１９の外壁面は外方を向いている。これらにより、吸い込みパネル表面を容易に拭き取ることができ、清掃がしやすくなっている。また、窪み２２の垂直方向の幅は少なくとも２５ｍｍ以上である。すなわち、図７（ａ）を参照すると、従来においては窪み７の正面における開口寸法が５ｍｍであったため、指が入らず清掃がしにくかった。本実施形態においては、容易に指を窪み２２に挿入することができ、清掃が容易である。
【００２７】
なお、上記の説明ではスリット２０は水平方向に延在している例を示したが、垂直方向など、他の方向でもよい。また、格子１９は上下がスリット２０に挟まれているものだけではなく、垂直方向に並んだ複数の格子１９の上下端、すなわち、上方と下方のいずれか一方にのみスリット２０が設けられている格子１９も含まれる。
【００２８】
上記各実施形態において、以下に説明する縦リブを図８に示すように構成することができる。以下では第１実施形態の変形例について説明する。
図８において、符号２５は吸い込みパネル９の裏面に設けられ、各格子１０を連結するように垂直方向に延在して設けられた縦リブである。縦リブ２５のスリット１１に面する端面２５ａは、内側に窪んだＲ形状となっている。なお、図９にはスリット１１に面する端面２５ａ’がストレート形状となっている縦リブ２５’を示した。
このように構成されていることにより、例えば雑巾によって吸い込みパネル３をふき取る際に、縦リブ２５が雑巾の動きを阻害せず、雑巾のスムーズな移動を確保することができる。つまり、図９のようにスリット１１に面する端面がストレート形状となっている縦リブ２５’では、符号２６で示した隅の部位は清掃しにくいが、図８のようにＲ形状であると容易に清掃することができる。
なお、縦リブ２５のスリット１１に面する端面２５ａはＲ形状以外の形状に窪んでいても同様の効果を得ることができる。
【００２９】
以上のように、本発明の実施形態として示した各吸い込みパネルによれば容易に清掃を行うことができ、このような吸い込みパネルを備えた空気調和装置の室内機においても、清掃が容易な空気調和装置とすることができる。
【００３０】
【発明の効果】
以上説明したように、本発明においては以下の効果を得ることができる。
請求項１に記載の発明によれば、吸い込みパネル前面の壁部の傾斜が、垂直面に近く、急峻な面を持たない。したがって、容易に清掃することができる。
請求項２に記載の発明によれば、吸い込みパネル壁部の窪みの幅を少なくとも２５ｍｍ以上とすることで、清掃の際に窪みに指を入れやすく、清掃が容易となる。
請求項３に記載の発明によれば、例えば雑巾によって吸い込みパネルをふき取る際に、スリットに面する縦リブが内側に窪んでいることで、縦リブが雑巾の動きを阻害せず、雑巾のスムーズな移動を確保することができる。したがって清掃が容易である。
請求項４に記載の発明によれば、外表面の少なくとも一部が吸い込みパネル表面に対して緩斜勾配をなす格子によりスリットが形成されるので、空気流路を確保しつつ掃除が容易な吸い込みパネルを提供できる。
請求項５に記載の発明によれば、上記各吸い込みパネルを備えているから、清掃が容易な空気調和装置とすることができる。
【図面の簡単な説明】
【図１】本発明の第１実施形態として示した空気調和装置の室内機全体を示した斜視図である。
【図２】同空気調和装置の吸い込みパネルの一部を破断した斜視図である。
【図３】同空気調和装置の吸い込みパネル断面図である。
【図４】本発明の第２実施形態として示した空気調和装置の吸い込みパネル断面図である。
【図５】本発明の第３実施形態として示した空気調和装置の吸い込みパネル断面図である。
【図６】本発明の第４実施形態として示した空気調和装置の吸い込みパネルの斜視図である。
【図７】（ａ）は従来の吸い込みパネルの部分断面図、（ｂ）は本発明の第５実施形態として示した吸い込みパネルの部分断面図である。
【図８】各実施形態の変形例として示した空気調和装置の吸い込みパネル断面図である。
【図９】上記変形例に対する比較例として示した空気調和装置の吸い込みパネル断面図である。
【図１０】空気調和装置の室内機を示した斜視図である。
【符号の説明】
８　室内機
９、９’、９”　吸い込みパネル
１０、１２，１４，１７、１９　格子
１１、１３，１５，１８、２０　スリット
２５　縦リブ
【図１】
2004085133.tif 000003
【図２】
2004085133.tif 000004
【図３】
2004085133.tif 000005
【図４】
2004085133.tif 000006
【図５】
2004085133.tif 000007
【図６】
2004085133.tif 000008
【図７】
2004085133.tif 000009
【図８】
2004085133.tif 000010
【図９】
2004085133.tif 000011
【図１０】
2004085133.tif 000012